(57)【要約】【課題】アイロンがけやスチームプレス等の熱処理を行わなくても、繊維製品に対するしわ除去効果に優れ、且つ床等への過剰な滑り性を発現しないしわ除去剤組成物を提供する。【解決手段】一般式（１）で表される特定のＰＯ・ＥＯ付加化合物（ａ）、及び、アミノ基又はポリエーテル基を有するシリコーン化合物（ｂ）を含有するしわ除去剤組成物。【選択図】なし【特許請求の範囲】
【請求項１】
下記一般式（１）で表される化合物（ａ）、及び、アミノ基又はポリエーテル基を有するシリコーン化合物（ｂ）を含有するしわ除去剤組成物。
Ｒ1−Ｙ−［（ＰＯ）m／（ＥＯ）n］−Ｈ        （１）
〔式中、Ｒ1は炭素数１０〜２２の炭化水素基であり、ＰＯはＣ3Ｈ6Ｏを示し、ＥＯはＣ2Ｈ4Ｏを示し、ｍ及びｎはそれぞれ平均付加モル数を示し、ｍは３〜１００、ｎは１〜１０の数であり、（ＰＯ）と（ＥＯ）はランダム付加でもブロック付加でもいずれでもよく、（ＰＯ）と（ＥＯ）の付加順序は問わない。Ｙは、−Ｏ−、−ＣＯＯ−、−ＣＯＮＨ−又は−ＮＨＣＯ−のいずれかである。〕
【請求項２】
液状である請求項１記載のしわ除去剤組成物。
【請求項３】
請求項２記載のしわ除去剤組成物をスプレー容器に充填してなるスプレー式しわ除去剤。
【発明の詳細な説明】
【技術分野】
【０００１】
本発明は、しわ除去剤組成物に関する。
【背景技術】
【０００２】
スーツ等のドライクリーニング衣類は家庭での水洗いが困難であり、それらのしわ取り方法については、一般にアイロンがけやスチームプレス等の熱処理を行う方法があるが、手間がかかる作業である上、風合いを損ねる場合がある。これまでに、熱処理を行わずに衣類のしわを伸ばす技術が開示されているが、しわ除去効果は不十分である。
【０００３】
アイロンがけやプレスを必要としない繊維製品のしわ取り用水性組成物として、衣類のしわ部にスプレーして用いるものが提案されており、特許文献１にはかかる組成物にポリエーテル変性シリコーンオイルを配合することが開示されている。また、特許文献２には、シリコーンを含有するしわ減少組成物とスプレー分配装置からできている製品が開示されている。更に、特許文献３には、シリコーン化合物とシリカ微粒子とを特定の質量比で含有する繊維製品用水性しわ減少剤組成物が開示されている。
【特許文献１】特開平１０−４６４７１号公報
【特許文献２】特表平１０−５０８９１２号公報
【特許文献３】特開２００５−１６３２０６号公報
【発明の開示】
【発明が解決しようとする課題】
【０００４】
しかしながら、スプレー処理に適したしわ除去剤組成物については、しわ除去性能のさらなる向上が望まれている。また、特許文献１〜３のように、シリコーン化合物を配合した処理剤は、スプレーにより処理する際、床上、家具等へ飛散した噴霧粒子により、望ましくない滑り性を発現することがあるため、こうした問題を解消することも望まれる。
【０００５】
本発明は、アイロンがけやスチームプレス等の熱処理を行わなくても、繊維製品に対するしわ除去効果に優れ、且つスプレー処理により噴霧粒子が飛散しても、床等への過剰な滑り性を発現しないしわ除去剤組成物を提供することを課題とする。
【課題を解決するための手段】
【０００６】
本発明は、  下記一般式（１）で表される化合物（ａ）〔以下、（ａ）成分という〕、及び、アミノ基又はポリエーテル基を有するシリコーン化合物（ｂ）〔以下、（ｂ）成分という〕を含有するしわ除去剤組成物に関する。
Ｒ1−Ｙ−［（ＰＯ）m／（ＥＯ）n］−Ｈ        （１）
〔式中、Ｒ1は炭素数１０〜２２の炭化水素基であり、ＰＯはＣ3Ｈ6Ｏを示し、ＥＯはＣ2Ｈ4Ｏを示し、ｍ及びｎはそれぞれ平均付加モル数を示し、ｍは３〜１００、ｎは１〜１０の数であり、（ＰＯ）と（ＥＯ）はランダム付加でもブロック付加でもいずれでもよく、（ＰＯ）と（ＥＯ）の付加順序は問わない。Ｙは、−Ｏ−、−ＣＯＯ−、−ＣＯＮＨ−又は−ＮＨＣＯ−のいずれかである。〕
【発明の効果】
【０００７】
本発明によれば、アイロンがけやスチームプレス等の熱処理を行わなくても、繊維製品に対するしわ除去効果に優れ、且つスプレー処理により噴霧粒子が飛散しても、床等への過剰な滑り性を発現しないしわ除去剤組成物が提供される。
【発明を実施するための最良の形態】
【０００８】
＜（ａ）成分＞
（ａ）成分の一般式（１）において、Ｒ1は炭素数１０〜２２の炭化水素基であり、好ましくは炭素数１２〜２０、より好ましくは１２〜１８のアルキル基又はアルケニル基であり、更に好ましくは、炭素数１６〜１８のアルキル基である。また、オキシプロピレン基（Ｃ3Ｈ6Ｏ基、以下、ＰＯと表記する場合もある）の平均付加モル数であるｍは３〜１００、好ましくは３〜６０、より好ましくは１０〜６０の数であり、オキシエチレン基（Ｃ2Ｈ4Ｏ基、以下、ＥＯと表記する場合もある）の平均付加モル数であるｎは１〜１０、好ましくは１〜９、より好ましくは１〜８の数であり、ＰＯとＥＯのモル比ｍ／ｎは好ましくは３〜１２、より好ましくは４〜１０である。Ｙは、より好ましくは−Ｏ−又は−ＣＯＯ−であり、更に好ましくは−Ｏ−であり、（ＰＯ）と（ＥＯ）は、ランダム付加でもブロック付加でもよく、（ＰＯ）と（ＥＯ）の付加順序は問わないが、好ましくはブロック付加であり、中でも下記一般式（２）で表される化合物がより好ましい。なお、ＰＯ、ＥＯの平均付加モル数はＮＭＲにより求めることができる。
Ｒ1−Ｏ−（ＰＯ）m−（ＥＯ）n−Ｈ    （２）
【０００９】
＜（ｂ）成分＞
（ｂ）成分としては、２５℃での動粘度が１００〜２００００ｍｍ2／ｓ、アミノ当量４００〜８０００ｇ／ｍｏｌのアミノ変性シリコーン化合物〔以下、（ｂ１）成分という〕、又は１％水溶液の曇り点が８０℃以下、好ましくは７０℃以下のポリエーテル変性シリコーン化合物〔以下、（ｂ２）成分という〕が好ましい。
【００１０】
（ｂ１）成分の２５℃での動粘度はウベローデ型粘度計で求めることができ、性能の点から１００ｍｍ2／ｓ以上が好ましく、性能及び安定性の点から２００００ｍｍ2／ｓ以下が好ましく、より好ましくは２００〜１００００ｍｍ2／ｓ、特に好ましくは５００〜５０００ｍｍ2／ｓである。また、アミノ当量は、性能の点から好ましくは４００〜８０００ｇ／ｍｏｌ、より好ましくは６００〜５０００ｇ／ｍｏｌ、特に好ましくは８００〜３０００ｇ／ｍｏｌである。尚、アミノ当量は、窒素原子１つ当りの分子量で、アミノ当量＝分子量／窒素原子数で求められ、元素分析法によって求められる窒素の質量％から求めることが出来る。
【００１１】
（ｂ１）成分の具体例として、一般式（３）で表される化合物が挙げられる。
【００１２】
【化１】
2007239120.tif 000002
【００１３】
〔式中、Ｒ2aは炭素数１〜３のアルキル基、ヒドロキシ基、炭素数１〜３のアルコキシ基又は水素原子から選ばれる基を示し、Ｒ2bは炭素数１〜３のアルキル基、ヒドロキシ基又は水素原子から選ばれる基を示し、Ｂは少なくとも一つのアミノ基を有する側鎖を示し、Ｒ2cは炭素数１〜３のアルキル基、ヒドロキシ基又は炭素数１〜３のアルコキシ基から選ばれる基である。ｃ及びｄはそれぞれ平均重合度を示し、該化合物の２５℃の動粘度及びアミノ当量が上記範囲になるように選ばれる。尚、Ｒ2a、Ｒ2b、Ｒ2cはそれぞれ同一でも異なっていても良く、また複数個のＲ2b、Ｒ2cは同一でも異なっていても良い。〕
【００１４】
一般式（３）の化合物においてｃは１０〜１０，０００、好ましくは２０〜５，０００、より好ましくは３０〜３，０００の数、ｄは１〜１，０００、好ましくは１〜５００、より好ましくは１〜２００の数を示し、重量平均分子量は、好ましくは２，０００〜１，０００，０００、より好ましくは５，０００〜１００，０００、特に好ましくは８，０００〜５０，０００である。ここで、重量平均分子量はポリスチレンを標準としてゲルパーミエーションクロマトグラフィーで求めることができる。
【００１５】
一般式（３）において、アミノ基を有する側鎖Ｂとしては、下記のものを挙げることができる。
−Ｃ3Ｈ6−ＮＨ2
−Ｃ3Ｈ6−ＮＨ−Ｃ2Ｈ4−ＮＨ2
−Ｃ3Ｈ6−ＮＨ−[Ｃ2Ｈ4−ＮＨ]e−Ｃ2Ｈ4−ＮＨ2
−Ｃ3Ｈ6−ＮＨ(ＣＨ3)
−Ｃ3Ｈ6−ＮＨ−Ｃ2Ｈ4−ＮＨ(ＣＨ3)
−Ｃ3Ｈ6−ＮＨ−[Ｃ2Ｈ4−ＮＨ]f−Ｃ2Ｈ4−ＮＨ(ＣＨ3)
−Ｃ3Ｈ6−Ｎ(ＣＨ3)2
−Ｃ3Ｈ6−Ｎ(ＣＨ3)−Ｃ2Ｈ4−Ｎ(ＣＨ3)2
−Ｃ3Ｈ6−Ｎ(ＣＨ3)−[Ｃ2Ｈ4−Ｎ(ＣＨ3)]g−Ｃ2Ｈ4−Ｎ(ＣＨ3)2
−Ｃ3Ｈ6−ＮＨ−cyclo−Ｃ5Ｈ11
ここで、ｅ、ｆ、ｇはそれぞれ１〜３０の数である。
【００１６】
本発明の（ｂ１）成分は、例えば、一般式（４）で表されるオルガノアルコキシシランを過剰の水で加水分解して得られた加水分解物と、ジメチルシクロポリシロキサンとを水酸化ナトリウムのような塩基性触媒を用いて、８０〜１１０℃に加熱して平衡反応させ、反応混合物が所望の粘度に達した時点で酸を用いて塩基性触媒を中和することにより製造することができる。（特開昭５３−９８４９９号参照）
Ｈ2Ｎ（ＣＨ2）2ＮＨ（ＣＨ2）3Ｓｉ（ＣＨ3）（ＯＣＨ3）2      （４）
【００１７】
本発明で用いることができる（ｂ１）成分としては、ＧＥ東芝シリコーン（株）製のＴＳＦ４７０３（粘度１０００ｍｍ2／ｓ（２５℃）、アミノ当量１６００ｇ／ｍｏｌ）、ＴＳＦ４７０８（粘度１０００ｍｍ2／ｓ（２５℃）、アミノ当量２８００ｇ／ｍｏｌ）、日本ユニカー（株）から入手したＳＳ−３５５１（粘度１０００ｍｍ2／ｓ（２５℃）、アミノ当量１６００ｇ／ｍｏｌ）、ＦＺ−３７０５（粘度２５０ｍｍ2／ｓ（２５℃）、アミノ当量４０００ｇ／ｍｏｌ）、ＦＺ−３１９（粘度２０００ｍｍ2／ｓ（２５℃）、アミノ当量４０００ｇ／ｍｏｌ）、東レ・ダウコーニング・シリコーン（株）製のＳＦ８４５１Ｃ（粘度６００ｍｍ2／ｓ（２５℃）、アミノ当量１７００ｇ／ｍｏｌ）、ＳＦ８４５２Ｃ（粘度７００ｍｍ2／ｓ（２５℃）、アミノ当量６４００ｇ／ｍｏｌ）、ＳＦ８４５７Ｃ（粘度１２００ｍｍ2／ｓ（２５℃）、アミノ当量１８００ｇ／ｍｏｌ）、ＳＦ８４１７（粘度１２００ｍｍ2／ｓ（２５℃）、アミノ当量１８００ｇ／ｍｏｌ）、ＢＹ１６−８４９（粘度１３００ｍｍ2／ｓ（２５℃）、アミノ当量６００ｇ／ｍｏｌ）、ＢＹ１６−８５０（粘度１１００ｍｍ2／ｓ（２５℃）、アミノ当量１１００ｇ／ｍｏｌ）、ＢＹ１６−８９２（粘度１１００ｍｍ2／ｓ（２５℃）、アミノ当量２０００ｇ／ｍｏｌ）、ＢＹ１６−８９７（粘度９００ｍｍ2／ｓ（２５℃）、アミノ当量２９００ｇ／ｍｏｌ）、ＢＹ１６−８９８（粘度１３００ｍｍ2／ｓ（２５℃）、アミノ当量２９００ｇ／ｍｏｌ）、信越化学工業（株）製のＫＦ８５７、ＫＦ８５８、ＫＦ８５９、ＫＦ８６２、ＫＦ８００１、ＫＦ８８０、ＫＦ−８６４（粘度１７００ｍｍ2／ｓ（２５℃）、アミノ当量３８００ｇ／ｍｏｌ）、旭化成ワッカーシリコーン（株）製のＷＲ３００（粘度６００ｍｍ2／ｓ（２５℃）、アミノ当量３３００ｇ／ｍｏｌ）、ＷＲ１６００（粘度１０００ｍｍ2／ｓ（２５℃）、アミノ当量１７００ｇ／ｍｏｌ）、ＷＴ１６５０（粘度１０００ｍｍ2／ｓ（２５℃）、アミノ当量１７００ｇ／ｍｏｌ）等を挙げることができる。
【００１８】
また、（ｂ１）成分としては、着色及び性能の観点から、アミノ基を有する側鎖Ｂが−Ｃ3Ｈ6−ＮＨ2で表される化合物〔以下、（ｂ１−１）成分という〕が好適である。（ｂ１−１）成分としては、信越化学工業（株）製のＫＦ−８６４（粘度１７００ｍｍ2／ｓ（２５℃）、アミノ当量３８００ｇ／ｍｏｌ）、東レ・ダウコーニング・シリコーン（株）製のＢＹ１６−８９７（粘度９００ｍｍ2／ｓ（２５℃）、アミノ当量２９００ｇ／ｍｏｌ）、ＢＹ１６−８９８（粘度１３００ｍｍ2／ｓ（２５℃）、アミノ当量２９００ｇ／ｍｏｌ）を挙げることができる。
【００１９】
（ｂ２）成分の２５℃における粘度は、１００〜１００００ｍｍ2／ｓが好ましく、２００〜８０００ｍｍ2／ｓが更に好ましく、５００〜６０００ｍｍ2／ｓが特に好ましい。また、（ｂ２）成分の曇り点はＪＩＳ  Ｋ２２６９に準拠し、２５℃での動粘度はウベローデ型粘度計で求めることができる。
【００２０】
（ｂ２）成分のポリエーテル基としては、ポリエチレンオキシ基、ポリプロピレンオキシ基、エチレンオキシ基（ＥＯ）とプロピレンオキシ基（ＰＯ）がブロック状又はランダムに付加したポリアルキレンオキシ基が好適であり、シリコーン主鎖にポリエーテル基がグラフトした化合物、シリコーンとポリエーテル基がブロック状に結合した化合物等を用いることができる。
【００２１】
より具体的には下記一般式（５）で表される化合物及び一般式（６）で表される化合物から選ばれる化合物が挙げられる。配合時の取り扱い性等の点で、一般式（５）で表される化合物が好ましい。
【００２２】
【化２】
2007239120.tif 000003
【００２３】
（式中、Ｒ9は炭素数１〜３のアルキル基又はヒドロキシ基であり、Ｒ10は炭素数２〜５のアルキレン基であり、Ｒ11は水素原子、炭素数１〜３のアルキル基又はヒドロキシ基であり、ＥＯはエチレンオキシ基、ＰＯはプロピレンオキシ基である。ＥＯとＰＯはランダム配列でもブロック配列でもよい。ａ、ｂ、ｃ、及びｄは、各ユニットの平均付加モル数を表し、ａは１〜５０、ｂは０〜１０、ｃは１〜５００、及びｄは１〜５０である。各Ｒ９は同一でも異なっていてもよい。）
【００２４】
一般式（５）において、ａは、好ましくは１〜３０、更に好ましくは１〜２０であり、ｂは、好ましくは０〜５、更に好ましくは０〜３であり、ｃは、好ましくは３〜４００、更に好ましくは５〜３００であり、ｄは好ましくは１〜４０、更に好ましくは１〜３０であり、ａ〜ｄは、一般式（５）で表される化合物の１％水溶液の曇り点が８０℃以下になるように、更に好ましくは一般式（５）で表される化合物の２５℃における粘度が１００〜１００００ｍｍ2／ｓの範囲になるように選択される。
【００２５】
【化３】
2007239120.tif 000004
【００２６】
（式中、Ｒ9、Ｒ10、Ｒ11、ＥＯ、ＰＯ、ａ、ｂ及びｃは前記と同じである。ＥＯとＰＯはランダム配列でもブロック配列でもよい。ｅは、各ユニットの平均付加モル数を表し、１〜５０である。各Ｒ9、Ｒ10及びＲ11は同一でも異なっていてもよい。）
【００２７】
一般式（６）において、ａは、好ましくは１〜３０、更に好ましくは１〜２０であり、ｂは、好ましくは０〜５、更に好ましくは０〜３であり、ｃは、好ましくは１〜４００、更に好ましくは１〜３００であり、ｅは好ましくは１〜４０、更に好ましくは１〜３０であり、ａ、ｂ、ｃ及びｅは、一般式（６）で表される化合物の１％水溶液の曇り点が８０℃以下になるように、更に好ましくは一般式（６）で表される化合物の２５℃における粘度が１００〜１００００ｍｍ2／ｓの範囲になるように選択される。
【００２８】
（ｂ２）成分の具体例としては、信越化学工業株式会社製の商品名：ＫＦ−３５２、ＫＦ−３５３、ＫＦ−９４５、ＫＦ−６００８、ＫＦ−６０１２、ＫＦ−６０１３、ＫＦ−６０１５、ＫＦ−６０１６、ＫＦ−６０１７、東レ・ダウコーニング・シリコーン株式会社製の商品名：ＳＨ−３７７２、ＳＨ−３７７３、ＳＨ−３７７５、ＳＨ−３７４８、ＳＨ−３７４９、日本ユニカー（株）から入手した商品名：ＦＺ−２１０１、ＦＺ−２１６４、ＦＺ−２１２３、Ｌ−７００２、Ｌ−７２０、Ｌ−７００１、Ｙ−７００６、ＦＺ−２２２２、ＦＺ−２１３０、ＦＺ−２１２０、ＦＺ−２１５４、ＦＺ−２１６６、ＦＺ−２１９１、ＦＺ−５６０９、ＦＺ−２２０７、ＦＺ−２１０９、ＦＺ−２１２２、ＦＺ−２１１０、ＦＺ−２２０６、ＧＥ東芝シリコーン株式会社製の商品名：ＴＳＦ−４４４１、ＴＳＦ−４４４５、ＴＳＦ−４４４６、ＴＳＦ−４４５２、ＴＳＦ−４４６０等が挙げられる。
【００２９】
（ｂ２）成分は、ＨＬＢが３〜１１、更に３〜１０、特に４〜９のものが好ましい。このＨＬＢは、Ｓｏａｐ  ＆  Ｃｈｅｍｉｃａｌ  Ｓｐｅｃｉａｌｉｔｉｅｓ，Ｎｏ．６，５０〜５１（１９９５）及び化学工業日報、５６３１号に記載された方法を用いて測定することができる。
【００３０】
本発明の（ｂ）成分は、オイル状のものをそのまま配合しても差し支えないが、（ｂ）成分の粒子が水中に分散した水性エマルジョンの形態で配合することが、本発明の組成物を容易に製造できる点から好ましい。（ｂ）成分の水性エマルジョンには乳化剤として界面活性剤を用いることが好ましく、界面活性剤として、アルキルベンゼンスルホン酸又はその塩、アルキル硫酸エステル塩、ポリオキシアルキレンアルキルエーテル硫酸塩、オレフィンスルホン酸塩、アルカンスルホン酸塩、脂肪酸塩等の陰イオン性界面活性剤、ポリオキシアルキレンアルキル又はアルケニルエーテル、ポリオキシアルキレンアルキルフェニルエーテル、脂肪酸アルカノールアミド又はそのアルキレンオキサイド付加物、蔗糖脂肪酸エステル、アルキルグルコシド等の非イオン性界面活性剤、アミンオキサイド、スルホベタイン、カルボベタイン等の両性界面活性剤、トリ長鎖アルキル４級アンモニウム塩等の陽イオン性界面活性剤を用いることができる。
【００３１】
（ｂ）成分の水性エマルジョンにおける乳化粒子の平均粒径は、風合いを得る観点から、好ましくは０．０１〜１０μｍ、更に好ましくは０．０１〜５μｍ、特に好ましくは０．０１〜1μｍである。
【００３２】
また本発明で用いることができる（ｂ）成分の水性エマルジョンとしては、上記のオイル状のものを界面活性剤等の乳化剤を用いて、各種の乳化機（ホモミキサー、高圧ホモジナイザー、コロイドミル等）により水中に分散させたものを用いても良いが、オルガノアルコキシシランとジメチルシクロポリシロキサン等を用い、水中で重合反応を行うことにより、所望の変性シリコーンを含むエマルジョンを調製し、これを（ｂ）成分の水性エマルジョンとしてそのまま用いても良い。
【００３３】
＜しわ除去剤組成物＞
本発明では、（ａ）成分と（ｂ）成分を併用することにより、湿潤時の繊維の滑り性が向上し、効率よくしわが除去できるだけでなく、（ｂ）成分をスプレー処理したときの過剰な床等の滑り性が解消され、使用感が良好なしわ除去剤組成物を得ることができる。
【００３４】
本発明のしわ除去剤組成物中の（ａ）成分、（ｂ）成分の含有量は、使用形態、繊維製品の種類、しわの程度によって適宜調整することができる。
【００３５】
（ａ）成分の組成物中の含有量は、通常０．０１質量％以上、好ましくは０．０１〜１０質量％、より好ましくは０．０１〜８質量％、更に好ましくは０．０１〜５質量％、更に好ましくは０．０１〜３質量％、特に好ましくは０．０１〜２質量％である。
【００３６】
（ｂ）成分の組成物中の含有量は、通常０．０１質量％以上、好ましくは０．０１〜１０質量％、より好ましくは０．０１〜８質量％、更に好ましくは０．０１〜５質量％、更に好ましくは０．０１〜３質量％、特に好ましくは０．０１〜２質量％である。
【００３７】
しわ除去効果を更に高めるうえで（ａ）成分及び（ｂ）成分の配合比率は、（ａ）／（ｂ）の質量比で、好ましくは１０／１〜１／１０、より好ましくは８／１〜１／８、更に好ましくは５／１〜１／５、更に好ましくは４／１〜１／４、特に好ましくは３／１〜１／３である。
【００３８】
本発明のしわ除去剤組成物において、（ａ）成分、（ｂ）成分以外の残部は水とすることができる。また必要に応じて、本発明の効果を損なわない範囲で、更に、界面活性剤、多価アルコール、消臭剤、及び一般に添加される各種の溶剤、ゲル化剤、硫酸ナトリウムやＮ，Ｎ，Ｎ−トリメチルグリシン等の塩、ｐＨ調整剤、酸化防止剤、防腐剤、殺菌・抗菌剤、香料、色素、紫外線吸収剤等の他の成分を添加することができる。
【００３９】
界面活性剤としては、特に制限はなく、非イオン性界面活性剤、陽イオン性界面活性剤、陰イオン性界面活性剤、及び（ｂ）成分以外の両性界面活性剤の中から選ばれる１種種以上が挙げられる。これらの中では、非イオン性界面活性剤が好ましく、下記一般式（７）で表される化合物が、しわ除去性能の点から、特に好ましい。
Ｒ3−Ｚ−［（ＥＯ）s／（ＰＯ）t］−Ｒ4        （７）
〔式（７）中、Ｒ3は、炭素数１０〜２２のアルキル基又はアルケニル基であり、Ｒ4は、水素原子、又は炭素数１〜３のアルキル基であり、Ｚは−Ｏ−又は−ＣＯＯ−のいずれかであり、ＥＯは、オキシエチレン基であり、ＰＯはオキシプロピレン基であり、（ＥＯ）と（ＰＯ）はランダム付加でもブロック付加でもいずれでもよく、（ＥＯ）と（ＰＯ）の付加順序は問わない。ｓ及びｔは平均付加モル数であり、ｓ＋ｔの合計は５〜１５の数であり、ｔは２以下の数である。〕
【００４０】
しわ除去性能向上の観点から、一般式（７）で表される化合物のＲ3は、好ましくは炭素数１０〜１８、より好ましくは炭素数１０〜１６、更に好ましくは炭素数１０〜１４のアルキル基又はアルケニル基であり、Ｒ4は、好ましくは水素原子、又は炭素数１〜２のアルキル基、より好ましくは水素原子又はメチル基、更に好ましくは水素原子である。
【００４１】
また、一般式（７）のｓは、好ましくは５〜１４の数、より好ましくは５〜１３、更に好ましくは５〜１２であり、ｔは好ましくは０である。一般式（７）で表される化合物としては、ポリオキシエチレン（ｎ＝６〜１２）ラウリルエーテル、ポリオキシエチレン（ｎ＝５〜１２）モノアルキル（炭素数１２〜１４の２級の炭化水素基）エーテル、ラウリン酸ポリオキシチレン（ｎ＝６〜１３）メチルエーテルから選ばれる１種以上が特に好ましい。ここで、ｎはオキシエチレン基の平均付加モル数である。
【００４２】
溶剤としては、水、エタノール、イソプロパノール等の低級（炭素数３〜４）アルコール類、エチレングリコール、プロピレングリコール、グリセリン、ソルビトール等の多価アルコール類（炭素数２〜１２）、エチレングリコールやプロピレングリコールのモノエチル又はモノブチルエーテル、ジエチレングリコールやジプロピレングリコールのモノエチル又はモノブチルエーテル、ベンジルアルコール、ベンジルオキシエタノール、フェノール性化合物のエチレンオキシド又はプロピレンオキシド付加物等が挙げられる。
【００４３】
本発明のしわ除去剤組成物の２５℃におけるｐＨは４〜９に調整することが好ましく、皮膚刺激低減の観点から、ｐＨは４．５〜８．５が好ましく、５〜８が更に好ましい。
【００４４】
本発明のしわ除去剤組成物のｐＨは、塩酸等の酸、又は水酸化ナトリウム等のアルカリを添加することにより調整することができる。
【００４５】
本発明のしわ除去剤組成物の使用形態は、液状、ゲル状、粉状、粒状等の固体状とすることができる。液状の場合には、特にスプレー、ローション等として繊維製品に用いることが出来、スプレー用しわ除去剤組成物として用いるのが特に好ましい。本発明のしわ除去剤組成物は、特に液状、更に水系しわ除去剤組成物としてミストタイプのスプレー容器に充填し、一回の噴霧量を０．１〜１ｍｌに調整したものが好ましい。使用するスプレー容器としては、トリガースプレー容器（直圧あるいは蓄圧型）やディスペンサータイプのポンプスプレー容器等の公知のスプレー容器を用いることができる。すなわち、本発明では、本発明のしわ除去剤組成物、特に液状のしわ除去剤組成物をスプレー容器に充填してなるスプレー式しわ除去剤を得ることができる。本発明の組成物は、噴霧により繊維製品に付着させて、対象物のしわを低減させることが好ましく、前記スプレー式しわ除去剤はこの方法に好適に用いられる。繊維製品としては、スーツ、セーター等の衣類、カーテン、ソファー等が挙げられる。
【実施例】
【００４６】
実施例１〜６及び比較例１〜２
＜しわ除去剤組成物の調製＞
表１に示す配合処方のしわ除去剤組成物を調製した。なお、非イオン性界面活性剤としては、炭素数１２の直鎖第１級アルコールにエチレンオキサイドを平均８モル付加させたものを使用し、抗菌剤としてはプロキセルＢＤＮ（アビシア株式会社製、１０％水溶液）を使用し、香料としては、ケイ皮酸エチル５質量部、酢酸リナリル１０質量部、リラール１５質量部、ヘキシルシンナミックアルデヒド１０質量部、パーライド１０質量部、フェニルエチルアルデヒド２０質量部、セダーアルコール１０質量部、及びリモネン２０質量部からなる調合香料を使用し、得られた組成物は、１規定の塩酸又は１／１０規定の水酸化ナトリウム水溶液でｐＨ６（２５℃）に調整した。表１中の記号の成分は下記のとおりである。
【００４７】
（ａ）成分
・ａ−１：一般式（２）中のＲ1が炭素数１８の直鎖アルキル基、ｍが３８、ｎが６の数である化合物
・ａ−２：一般式（２）中のＲ1が炭素数１６の直鎖アルキル基、ｍが１５、ｎが３の数である化合物
・ａ−３：一般式（２）中のＲ1が炭素数１２の直鎖アルキル基、ｍが２５、ｎが３の数である化合物
・ａ−４：一般式（１）中のＲ1が炭素数１８の直鎖アルキル基、Ｙが−Ｏ−、ｍが３８、ｎが６の数であり、Ｒ1−Ｙ−に（ＥＯ）と（ＰＯ）がこの順でブロック付加した化合物〔Ｒ1−Ｙ−（ＥＯ）n−（ＰＯ）m−Ｈの化合物〕
・ａ−５：一般式（１）中のＲ1が炭素数１８の直鎖アルキル基、Ｙが−Ｏ−、ｍが３０、ｎが５の数であり、（ＰＯ）と（ＥＯ）がランダム付加である化合物
【００４８】
（ｂ）成分
・ｂ−１：ＳＦ８４５７Ｃ（東レ・ダウコーニング・シリコーン（株）製アミノ変性シリコーン、粘度１２００ｍｍ2／ｓ（２５℃）、アミノ当量１８００ｇ／ｍｏｌ）
・ｂ−２：ＫＦ−８６４（信越化学工業（株）製アミノ変性シリコーン、粘度１７００ｍｍ2／ｓ（２５℃）、アミノ当量３８００ｇ／ｍｏｌ）
・ｂ−３：ポリエーテル変性シリコーン、信越化学工業株式会社製の商品名「ＫＦ−６０１２」（前記一般式（６）の化合物。１％水溶液の曇点：３５℃、２５℃における粘度：１６００ｍｍ2／ｓ、ＨＬＢ＝７）
・ｂ−４：ポリエーテル変性シリコーン、日本ユニカー（株）から入手した商品名「ＦＺ−２１５４」（前記一般式（６）の化合物。１％水溶液の曇点：５２℃、２５℃における粘度：１１０ｍｍ2／ｓＨＬＢ＝６）
【００４９】
＜しわ除去効果＞
（１）しわつけ方法
ウール生地（ウールサージ、（株）谷頭商店）からなる試験布２０ｃｍ×１０ｃｍにイオン交換水をスプレー噴霧して湿潤させた後、試験布を２つ折りにして、４０℃に設定した恒温室内で折り目部分に２ｋｇの重りをのせ、２４時間放置することによって、これをしわ除去評価のモデルじわとした。
【００５０】
（２）しわ除去方法
上記方法にて作成したモデルじわのついた試験布に対し、表１に示すしわ除去剤組成物をスプレー容器（キャニオン製、Ｔ−７５００）を用いて試験布乾燥時質量に対して５０質量％噴霧した後、２５℃／５０％ＲＨの恒温室に１２時間放置し、自然乾燥させた。乾燥終了後、試験布のしわの取れ具合を判定した。
【００５１】
（３）しわ除去性能評価
判定は、しわ除去消臭剤組成物をスプレー処理した布と、処理前の布（対照）とを、熟練した５人のパネラーに下記の基準で採点してもらい、平均点を求めた。平均点１以上１．５未満を◎、１．５以上２未満を□、２以上３未満を○、３以上４未満を△、４以上５以下を×とした。◎、□又は○が好ましい。
１：全くしわがない
２：ほとんどしわがない
３：僅かにしわが残っている
４：相当しわが残っている
５：著しくしわが残っている
【００５２】
＜床滑り防止性評価＞
表１に示すしわ除去剤組成物をスプレー容器（キャニオン製、Ｔ−７５００）を用いて、フローリング床から１ｍの高さから床に水平に５回スプレーし、乾燥後の床滑り防止性を判定した。判定は、しわ除去剤組成物をスプレー処理した床と、処理前の床（対照）とを、熟練した５人のパネラーに下記の基準で採点してもらい、平均点を求めた。平均点１以上２未満を○、２以上３以下を×とした。○が好ましい。
１：全く滑らない
２：やや滑る
３：滑る
【００５３】
【表１】
2007239120.tif 000005
【００５４】
表１から、比較例１及び２の組成物は、しわ除去性能と床滑り防止性の両方を満足できないのに対し、実施例１〜６のしわ除去剤組成物は、しわ除去性能が高く、且つ床滑り防止性にも優れていることが分かる。